(57)【要約】【課題】他の部材を別途取り付けることなく、従来の灯具または既設の灯具に取り付けるだけで照明の効率を向上させることができるＬＥＤ照明器具を提供する。【解決手段】光源となるＬＥＤ基板１４を設置する本体１２と、本体１２のＬＥＤ基板の出射光側に装着される透光性カバー１１を備え、本体１２の表面を白色としている。本体の表面は白色紛体塗装又は陽極酸化処理で白色にしている。【選択図】図１
2015185374.tif 000002
【特許請求の範囲】
【請求項１】
光源となるＬＥＤ基板を設置する本体と、
前記本体の前記ＬＥＤ基板のＬＥＤ出射光側に装着される透光性カバーと、を備え、
前記本体の表面を白色としたことを特徴とするＬＥＤ照明器具。
【請求項２】
前記本体の表面を白色紛体塗装したことを特徴とする請求項１に記載のＬＥＤ照明器具。
【請求項３】
前記本体の表面を陽極酸化処理で白色にしたことを特徴とする請求項１に記載のＬＥＤ照明器具。
【請求項４】
前記本体は下面部が開口した半円筒形であり、前記透光性カバーは上面部が開口した半円筒形であって、これら本体と透光性カバーの幅方向両端部を嵌着して略円筒状のランプ本体を構成したことを特徴とする請求項１〜請求項３のいずれかに記載のＬＥＤ照明器具。
【請求項５】
前記本体の幅方向両端部に嵌合溝を形成し、前記透光性カバーの幅方向両端部に前記嵌合溝と嵌合する嵌合爪を形成したことを特徴とする請求項１〜請求項４のいずれかに記載のＬＥＤ照明器具。
【請求項６】
請求項１〜請求項５のいずれかに記載のＬＥＤ照明器具を取り付けるための灯具を備えており、該灯具は、前記透光性カバーを透過した前記ＬＥＤ基板のＬＥＤ出射光を照射面方向に反射させる反射面を有していることを特徴とするＬＥＤ照明装置。
【発明の詳細な説明】
【技術分野】
【０００１】
本発明は、例えば商用交流電源を用いて発光ダイオード（以下、ＬＥＤ(Light Emitting Diode)と適宜、称する）を点灯させるＬＥＤ照明器具に関するものである。
【背景技術】
【０００２】
近年、白熱電球等の照明光源よりも発熱量、消費電力が少なく、長寿命なＬＥＤを発光素子として利用した照明器具が開発されている。
【０００３】
このような中、ＬＥＤを用いた照明器具において、より発光効率が高いものが求められるようになっている。 
【０００４】
既設の従来の灯具（ランプ取付具）に取り付けられた直管形蛍光ランプは、直管形蛍光ランプの円筒状の発光面の全面が発光し、直管形蛍光ランプの長手軸方向の軸から放射状に光を出射するため、床面側に出射された光のほか、床面と反対側の灯具側に出射された光が灯具の反射板によって床面側に反射される光もある。
【０００５】
しかし、直管形ＬＥＤランプを上記と同じ構造の反射板を有する灯具に取り付けた場合、直管形蛍光ランプと異なり、直管形ＬＥＤランプの発光面は光源となるＬＥＤ基板を設置する面を境として、床面側の半円筒部分だけである。そのため、直管形ＬＥＤランプから直接灯具の反射板に出射し反射板によって反射される光はないため、反射灯具の反射板によって床面側に反射される光は殆どなく反射板による床面側の光量増量は見込めず、発光効率が良いとはいえなかった。
【０００６】
照明器具の発光効率の向上を企図する手段としては、例えば、特許文献１に記載されるように陽極酸化処理によってチタン・シリコン等でコーティングしたアルミ板材をシェードとして用いることにより、下方への光反射率を高めた直管形蛍光灯照明器具がある。しかしながら、この高反射率のシェードを既設の照明器具に適用する場合、既設の照明器具のシェードの寸法形状に合致したものを作成し、既設の照明器具のシェードを取り外し、高反射率のシェードを装着することになる。そのため、工事費が高価なものとなってしまうだけでなく、取り外したシェードの処分を行わねばならず、資源のムダを招き、省エネルギー化に疑義を生ずるものであった。  
【先行技術文献】
【特許文献】
【０００７】
【特許文献１】特開２００７−１８４１４７号公報
【発明の概要】
【発明が解決しようとする課題】
【０００８】
本発明は上記背景技術を鑑みてなされたものであり、照明器具の発光効率を向上させるために他の部材を別途取り付けることなく、従来の灯具または既設の灯具に取り付けるだけで照明の効率を向上させることができるＬＥＤ照明器具を提供するものである。
【課題を解決するための手段】
【０００９】
上記課題を解決するため、請求項１の発明にあっては、光源となるＬＥＤ基板を設置する本体と、前記本体の前記ＬＥＤ基板のＬＥＤ出射光側に装着される透光性カバーと、を備え、前記本体の表面を白色とする。
【００１０】
上記課題を解決するため、請求項２の発明にあっては、前記本体の表面を白色紛体塗装する。
【００１１】
上記課題を解決するため、請求項３の発明にあっては、前記本体の表面を陽極酸化処理で白色にする。
【００１２】
上記課題を解決するため、請求項４の発明にあっては、前記本体は下面部が開口した半円筒形であり、前記透光性カバーは上面部が開口した半円筒形であって、これら本体と透光性カバーの幅方向両端部を嵌着して略円筒状のランプ本体を構成する。
【００１３】
上記課題を解決するため、請求項５の発明にあっては、前記本体の幅方向両端部に嵌合溝を形成し、前記透光性カバーの幅方向両端部に前記嵌合溝と嵌合する嵌合爪を形成する。
【００１４】
上記課題を解決するため、請求項６の発明にあっては、請求項１〜請求項５のいずれかに記載のＬＥＤ照明器具を取り付けるための灯具を備えており、該灯具は、前記透光性カバーを透過した前記ＬＥＤ基板のＬＥＤ出射光を照射面方向に反射させる反射面を有している。 
【発明の効果】
【００１５】
本発明によれば、従来からの構成の灯具に本発明の直管形ＬＥＤ照明器具を取り付けるだけで、発光時に透光性カバーから出射した光のうち直接床面に向かわなかった光が、該灯具に設けた反射板あるいは反射面と本体表面との間で反射するとともに、反射板あるいは反射面で反射された光が床面側に向かうため発光効率が向上できる。
【００１６】
また、ＬＥＤから透光性カバー内部に進行した光は、本体との結合部分において本体表面で吸収されることなく反射され透光性カバー外部へ脱し、床面を照射する光となるため発光効率が更に向上できる。
【図面の簡単な説明】
【００１７】
【図１】本発明の実施例による直管形ＬＥＤ照明器具と灯具の部品構成を示す分解斜視図である。
【図２】本発明の実施例による直管形ＬＥＤ照明器具と灯具を示す外観斜視図である。
【図３】本発明の直管形ＬＥＤ照明器具の側面図である。
【図４】図３のｈ５-ｈ６線に沿う断面図である。
【図５】直管形ＬＥＤ照明器具を灯具に取り付けた場合の光の反射状態を示す断面概略図であり、（ａ）は本発明の直管形ＬＥＤ照明器具と同形状の本体を白色にしていない場合の反射状態、（ｂ）は本発明の直管形ＬＥＤ照明器具の反射状態である。
【発明を実施するための形態】
【００１８】
本発明の直管形ＬＥＤ照明器具１は、図１に示すように、上面部が開口した半円筒形の長尺の透光性カバー１１と、光源となる長尺のＬＥＤ基板１４が設置される下面部が開口した長尺の半円筒形の本体１２とを有しており、これらは後述するように幅方向両端部が嵌合されて円筒状のランプ体を構成している（図４）。このランプ体の両端部には、図１、図３に示すような口金１３ａ、１３ｂが装着されている。なお、本体１２にはＬＥＤを点灯駆動するための点灯装置（不図示）が収納されている。
【００１９】
灯具２は、ランプを取り付けるための取付体となるものであり、この実施例では下面が開口した埋入型を使用している。灯具２は図５に模式的に示すように、天井面３の開口部に埋入されるものであり、全体が略山形に形成され、下方（照射面方向）に向かって拡口した反射面２２を有している。なお、灯具２の上面部には電源ケーブル２３（図１、図２）が接続されている。
【００２０】
直管形ＬＥＤ照明器具１は、図２に示すように、灯具２のソケット２１ａに口金１３ａが、ソケット２１ｂに口金１３ｂが嵌入され電気的に接続されて灯具２に保持される。
【００２１】
図３は本発明の直管形ＬＥＤ照明器具の側面図である。ＬＥＤ１５が配設されたＬＥＤ基板１４は本体１２の設置部１６に設置され、ＬＥＤ１５の出射光側を覆うように透光性カバー１１が本体１２に取り付けられる。
【００２２】
本実施例では、本体１２の幅方向の両端部に設けた嵌合溝１２ａ、１２ｂに、透光性カバー１１の幅方向の両端部に設けた嵌合爪１１ａ、１１ｂが嵌合して透光性カバー１１が取り付けられる。ＬＥＤ１５を点灯させると出射光が透光性カバー１１を透過して床面を直接照らす。一方、本発明の本体１２は嵌合溝１２ａ、１２ｂを含む表面全面を白色に塗装しているため、ＬＥＤ１５から出た光の一部は透光性カバー１１を形成する材料内を光路Ａや光路Ｂのように通過し嵌合溝１２ａ、１２ｂの表面で本体１２の外側に反射される。
【００２３】
本実施例では本体１２の表面全面に白色を施しているが、必要であれば本体１２の内面側に施しても良く、必要な領域だけに白色を施しても良い。また、ここでの「白色」とは色彩学上の白色又は白色系のみならず、ＬＥＤ光を反射できる金属色、鏡面仕様、等も含まれる。白色塗装の方法としては、粉体塗装、焼付塗装の他、浸漬塗装等があるが、嵌合溝１２ａ、１２ｂは狭くて細長い面で構成されている。また面と面の合わせ面は稜線となっている。粉体塗装では細長い面、稜線にかかわらず顔料が乗り、金属地肌が表面に現れないので反射効率が高い。しかし、焼付塗装や浸漬塗装等の溶剤型の塗装では、溶剤の表面張力により塗膜の中央部が膨らみその領域に顔料成分が引き込まれるため多くの顔料成分が分布するため、稜線部分にはあまり顔料成分が分布せず金属地肌が現れ反射効率が低下する。したがって、粉体塗装が最適である。
【００２４】
実施例は白色塗装であるが、陽極酸化処理で白色にしても溶剤型の塗装で見られた稜線部分の金属地肌の出現がないため反射効率は高い。
【００２５】
図５（ａ）、（ｂ）は、灯具２にＬＥＤ照明器具を取り付けた状態の断面概略図である。尚、この実施例では、灯具２は天井面３に埋め込まれている。図５（ａ）は、本発明の直管形ＬＥＤ照明器具と同形状であるが本体１２を白色にしていない場合の出射光の灯具２の反射面２２に反射されている状態を矢印で示している。本体１２に載置されたＬＥＤ基板１４に配設されたＬＥＤ１５からの出射光は殆どが透光性カバー１１を透過し床面側に進む。ＬＥＤ１５から両側の本体１２の嵌合溝１２ａ、１２ｂ側へ出射した光は灯具２に設けられた反射面２２によって若干であるが床面側へ反射される。しかし、ＬＥＤ基板１５よりも天井３の方向には光が進まず反射面２２に反射される光は更に少ない。
【００２６】
図５（ｂ）は、本発明の直管形ＬＥＤ照明器具であり、本体１２の表面を白色に塗装した場合の出射光の灯具２の反射面２２に反射されている状態を矢印で示している。本体１２に載置されたＬＥＤ基板１４に配設されたＬＥＤ１５からの出射光は殆どが透光性カバー１１を透過し床面側に進む。一方、ＬＥＤ１５から両側の本体１２の嵌合溝１２ａ、１２ｂ側へ出射した光は灯具２に設けられた反射面２２によって床面側へ反射される。更に反射面２２で反射された光のうち、灯具２の奥側に進んだ光は灯具２の反射面２２で反射された後本体１２の表面で反射され、灯具２の反射面２２で反射され床面側に出射したり、再度本体１２の表面で反射した後、灯具２の反射面２２で床面側に出射されるように、本体１２の白色塗装された表面が反射面となり、ＬＥＤ１５から出射した光の殆どが床面側に出射することができる。
【００２７】
このように、本体１２の表面を白色塗装することで、従来無駄になっていた光が本体１２の表面で反射され床面側へ出射されるため、床面側の照度が上昇し発光効率が向上したことになる。
【００２８】
以上のように、照明器具の発光効率を向上させるために他の部材を別途取り付けることなく、従来の灯具または既設の灯具に取り付けるだけで照明の効率を向上させることができる。
【産業上の利用可能性】
【００２９】
本発明は、例えば、主に、事業所や店舗等の商業施設等の比較的広い施設の天井面に設置される直管形照明装置の灯具に広く適用することができ、他の部材を別途取り付けることなく、従来からの構成の灯具に取り付けるだけで照明の効率を向上させることができる。
【符号の説明】
【００３０】
１              直管形ＬＥＤ照明器具
２              灯具
１１            透光性カバー
１２            本体
１３ａ、１３ｂ  口金 
１４            ＬＥＤ基板
１５            ＬＥＤ
２１ａ、２１ｂ  ソケット
２２            反射面
２３            電源ケーブル
【図１】
2015185374.tif 000003
【図２】
2015185374.tif 000004
【図３】
2015185374.tif 000005
【図４】
2015185374.tif 000006
【図５】
2015185374.tif 000007